(57)【要約】【課題】本発明は、電源ストリップを提供することを目的とする。【解決手段】本発明の電源ストリップは、ベースと、ベースに設置されたソケットと、ソケットの後端に回転可能に枢着されたカバーと、を備え、ソケットはプラグを差し込むために用いられ、プラグは、主体、主体の頂部に接続される接続部及び接続部を貫いて主体に電気的に接続されるケーブルを備え、カバーの前端には切欠口が設けられ、カバーとソケットとの間には、カバーをソケットに覆わせるトーションバネが接続され、カバーをソケットから離れるように回転させてから、プラグの主体をソケットに差し込む場合、プラグの接続部はカバーの切欠口に係合し、カバーの切欠口はトーションバネの弾性力によってプラグの接続部を押圧する。【選択図】図４
2014038839.tif 000002
【特許請求の範囲】
【請求項１】
ベースと、前記ベースに設置されたソケットと、前記ソケットの後端に回転可能に枢着されたカバーと、を備えてなる電源ストリップであって、
前記ソケットはプラグを差し込むために用いられ、前記プラグは、主体、前記主体の頂部に接続される接続部及び前記接続部を貫いて前記主体に電気的に接続されるケーブルを備え、
前記カバーの前端には切欠口が設けられ、前記カバーと前記ソケットとの間には、前記カバーを前記ソケットに覆わせるトーションバネが接続され、前記カバーを前記ソケットから離れるように回転させてから、前記プラグの主体を前記ソケットに差し込む場合、前記プラグの接続部は前記カバーの切欠口に係合し、前記カバーの切欠口は前記トーションバネの弾性力によって前記プラグの接続部を押圧することを特徴とする電源ストリップ。
【請求項２】
前記ソケットは前記ベースの上面から突出され、前記カバーは、前記ソケットに回転可能に枢着される本体及び前記本体の前端において前記本体に対して垂直に設置される折辺を備え、前記切欠口は前記折辺の前記本体側に対する反対側に位置し、前記カバーが前記ソケットを覆う時、前記折辺は前記ソケットの前端に当止されることを特徴とする請求項１に記載の電源ストリップ。
【請求項３】
前記ソケットの両側にはそれぞれ１つの軸受が設置され、前記軸受の後端には枢着孔が設けられ、前記カバーの本体は互いに平行な２つの側辺を備え、前記カバーの２つの側辺の後端にはそれぞれ１つの回転軸が前記側辺に対して垂直に突出され、前記カバーの２つの回転軸は前記ソケットの両側の２つの軸受の枢着孔に枢着されることを特徴とする請求項２に記載の電源ストリップ。
【請求項４】
前記軸受の前記枢着孔の近傍には第一固定孔が設けられ、前記側辺の前記回転軸の近傍には第二固定孔が設けられ、２つの前記トーションバネは２つの前記回転軸を囲むように設置され、２つの前記トーションバネの一端は２つの前記側辺の第二固定孔に係合し、２つの前記トーションバネの他端は２つの前記軸受の第一固定孔に係合することを特徴とする請求項３に記載の電源ストリップ。
【請求項５】
前記カバーの本体の折辺に近い片側には凹部が形成され、前記プラグの主体を前記ソケットに差し込むと、前記プラグの主体の頂部は前記カバーの凹部に係合し、前記カバーの凹部は前記トーションバネの弾性力によって前記プラグの主体の頂部を押圧することを特徴とする請求項２に記載の電源ストリップ。
【請求項６】
前記カバーの本体の後端から突出部が突出され、前記カバーを前記ソケットから離れるように回転させて、前記カバーが前記ソケットの上面に垂直となる場合、前記突出部は前記ソケットの後端に当止されることを特徴とする請求項５に記載の電源ストリップ。
【発明の詳細な説明】
【技術分野】
【０００１】
本発明は、電源ストリップに関するものである。
【背景技術】
【０００２】
従来の電源ストリップにおいて、湿気及びほこりがソケットに入ることを防止するために、各々のソケットにカバーが枢着されており、カバーを開けてプラグをソケットに差し込む。
【発明の概要】
【発明が解決しようとする課題】
【０００３】
しかし、プラグがソケットから離脱されると、電源ストリップの複数のソケットに枢着された複数のカバーを一つ一つ開けて検出することを必要として、且つ離脱されたプラグをソケットに再び差し込むので、操作が面倒である。
【０００４】
本発明の目的は、前記課題を解決し、プラグがソケットから離脱することを免れる電源ストリップを提供することである。
【課題を解決するための手段】
【０００５】
本発明に係る電源ストリップは、ベースと、ベースに設置されたソケットと、ソケットの後端に回転可能に枢着されたカバーと、を備え、ソケットはプラグを差し込むために用いられ、プラグは、主体、主体の頂部に接続される接続部及び接続部を貫いて主体に電気的に接続されるケーブルを備え、カバーの前端には切欠口が設けられ、カバーとソケットとの間には、カバーをソケットに覆わせるトーションバネが接続され、カバーをソケットから離れるように回転させてから、プラグの主体をソケットに差し込む場合、プラグの接続部はカバーの切欠口に係合し、カバーの切欠口はトーションバネの弾性力によってプラグの接続部を押圧する。
【発明の効果】
【０００６】
本発明の電源ストリップにおいて、プラグの接続部はカバーの前端に設けられた切欠口に係合し、カバーの切欠口はトーションバネの弾性力によってプラグの接続部を押圧して、プラグがソケットから離脱することを免れる。
【図面の簡単な説明】
【０００７】
【図１】本発明の実施形態に係る電源ストリップの分解図である。
【図２】図１に示す電源ストリップのＢ部分の拡大図である。
【図３】図１に示す電源ストリップの組立図である。
【図４】図３に示す電源ストリップを別の角度から見た図である。
【発明を実施するための形態】
【０００８】
以下、図面を参照して、本発明の実施形態について説明する。
【０００９】
図１及び図２を参照すると、本発明の実施形態に係る電源ストリップは、複数のプラグ１０を接続するために用いられる。電源ストリップは、長いベース２０、複数のカバー３０及び複数のトーションバネ４０を備える。
【００１０】
プラグ１０は、主体１２と、主体１２の頂部に接続される接続部１４と、接続部１４を貫いて主体１２に電気的に接続されるケーブル１６と、を備える。
【００１１】
ベース２０の上面には、ベース２０の長手方向に沿って複数の軸受２３が互いに離隔して設置される。隣り合う２つの軸受２３の間には、ソケット２１がベース２０の上面から突出して設置される。軸受２３のソケット２１に近い片側の後端には、枢着孔２３１及び第一固定孔２３３が設けられる。
【００１２】
カバー３０は、本体３１と、本体３１の前端において本体３１に対して垂直に接続される折辺３３と、本体３１の後端の中部から本体３１と平行な方向に沿って外向きに延在してなる突出部３５と、を備える。カバー３０の本体３１は、互いに平行な２つの側辺３７を備える。側辺３７の後端から側辺３７に対して垂直に且つ外に向かって回転軸３７１が突出される。側辺３７の回転軸３７１の近傍に第二固定孔３７３が設けられる。本体３１の折辺３３に近い箇所には、凹部３１２が形成される。折辺３３の本体３１側に対して反対側の中部には、切欠口３３２が設けられる。
【００１３】
図３及び図４を参照して、カバー３０を電源ストリップのベース２０に組み立てる過程を説明する。先ず、２つの回転軸３７１を囲むように２つのトーションバネ４０を設置して、２つのトーションバネ４０の一端は、カバー３０の２つの側辺３７の第二固定孔３７３に係合する。次に、カバー３０の２つの回転軸３７１をソケット２１の両側の２つの軸受２３の枢着孔２３１に係合し、且つ２つのトーションバネ４０の他端をソケット２１の両側の２つの軸受２３の第一固定孔２３３に係合する。このようにカバー３０はソケット２１の両側の２つの軸受２３の後端に回転可能に枢着される。
【００１４】
ソケット２１を使用しないと、カバー３０はトーションバネ４０の弾性復帰力によってソケット２１を覆って、カバー３０の本体３１は、ソケット２１の両側の２つの軸受２３の間に位置し、カバー３０の折辺３３は、ソケット２１の前端に当止される。カバー３０は、湿気及びほこりがソケット２１に入ることを防止する。
【００１５】
ソケット２１にプラグ１０を差し込む場合、手指をカバー３０の折辺３３の切欠口３３２にさし込んで、突出部３５がソケット２１の後端に当止するまでカバー３０を開けて、カバー３０の本体３１がソケット２１の上面に垂直となるようにして、ソケット２１を露出させる。カバー３０を開けると、カバー３０に接続された２つのトーションバネ４０は弾性変形する。プラグ１０の主体１２をソケット２１に差し込んでから、カバー３０を放すと、２つのトーションバネ４０の弾性復帰力によって、カバー３０はプラグ１０に向かって回転し、プラグ１０の主体１２の頂部のカバー３０に向かう片側はカバー３０の凹部３１２に係合し、且つプラグ１０の接続部１４のカバー３０に向かう片側はカバー３０の切欠口３３２に係合する。この時、２つのトーションバネ４０の弾性復帰力によって、カバー３０の凹部３１２及び切欠口３３２はそれぞれプラグ１０の主体１２及び接続部１４を押圧して、プラグ１０がソケット２１から離脱しないようにする。プラグ１０のケーブル１６及び接続部１４のケーブル１６に接続される一端はカバー３０の外に露出されて、ケーブル１６はカバー３０に押圧されない。
【００１６】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００１７】
１０  プラグ
１２  主体
１４  接続部
１６  ケーブル
２０  ベース
２１  ソケット
２３  軸受
３０  カバー
３１  本体
３３  折辺
３５  突出部
３７  側辺
４０  トーションバネ
２３１  枢着孔
２３３  第一固定孔
３１２  凹部
３３２  切欠口
３７１  回転軸
３７３  第二固定孔
【図１】
2014038839.tif 000003
【図２】
2014038839.tif 000004
【図３】
2014038839.tif 000005
【図４】
2014038839.tif 000006